(57)【要約】【課題】アッパレールとロアレールの抜外れをより好適に阻止することにある。【解決手段】アッパレール３０とロアレール２０の少なくとも一方に補強部材５０を取付けるとともに、補強部材５０が、レール部材Ｒ１の外形に沿って湾曲可能な可撓性を有する面状の基材５２と、基材５２よりも長尺方向の伸縮性に劣る線状の繊維体５４を備え、アッパレール３０又はロアレール２０の湾曲変形時に、繊維体５４を長尺方向に伸縮させる向きに力がかかる構成である。【選択図】図４
2013180674.tif 000002
【特許請求の範囲】
【請求項１】
シートクッションやシートバックなどのシート構成部材と、前記シート構成部材を車室構造体に対してスライド移動させるレール部材とを備え、
前記レール部材が、前記車室構造体に取付け可能なロアレールと、前記シート構成部材に取付け可能なアッパレールとを有し、
前記ロアレールが、断面視で略Ｕ字状をなすとともに、端部を湾曲させて形成の係合部を有し、前記アッパレールが、断面視で略逆Ｕ字状をなすとともに、端部を湾曲させて形成の被係合部を有し、
前記アッパレールと前記ロアレールを摺動可能に嵌装しつつ、前記係合部と前記被係合部を係合可能に配置して、前記アッパレールと前記ロアレールの抜外れ方向の相対移動を阻止する構成とするとともに、
車両衝突時の衝撃により、前記係合部と前記被係合部の係合力に抗しつつ、前記アッパレールと前記ロアレールの少なくとも一方が部分的に湾曲変形して前記抜外れる方向に相対移動する構成の車両用シートにおいて、
前記アッパレールと前記ロアレールの少なくとも一方に補強部材を取付けるとともに、
前記補強部材が、前記レール部材の外形に沿って湾曲可能な可撓性を有する面状の基材と、前記基材よりも長尺方向の伸縮性に劣る線状の繊維体を備え、前記アッパレール又は前記ロアレールの湾曲変形時に、前記繊維体を長尺方向に伸縮させる向きに力がかかる構成である車両用シート。
【請求項２】
前記アッパレールと前記ロアレールの双方に補強部材を取付けて、前記アッパレール及び前記ロアレールの湾曲変形時に、前記繊維体を長尺方向に伸長させる向きに力がかかる構成とした請求項１に記載の車両用シート。
【発明の詳細な説明】
【技術分野】
【０００１】
本発明は、レール部材を備えた車両用シートに関する。
【背景技術】
【０００２】
この種の車両用シートとして、シートクッション及びシートバック（シート構成部材）と、一対のレール部材を備えた車両用シートが公知である（特許文献１を参照）。
一対のレール部材は、シート前後に長尺な線状部材であり、それぞれロアレールとアッパレールを有する。ロアレールは、略Ｕ字状（断面視）の平板部材であり、両端部がそれぞれ内側に屈曲する（略逆Ｕ字状の係合部が形成される）。またアッパレールは、略逆Ｕ字状（断面視）の平板部材であり、両端部がそれぞれ外側に屈曲する（略Ｕ字状の被係合部が形成される）。
公知技術では、アッパレールとロアレールを互いに摺動可能に取付けつつ、係合部と被係合部を係合可能に配置する。つぎにアッパレールを、シート構成部材下部に固定するとともに、ロアレールを車室床面に固定することで、シート構成部材が、各レール部材を介して車室床面に対してスライド移動可能となる。そして車両衝突時において、アッパレールとロアレールが抜け外れ方向に相対移動することを、係合部と被係合部の係合により規制できる。
【０００３】
そして公知技術では、アッパレールとロアレールの材質として、炭素繊維強化プラスチック（ＣＦＲＰ）を用いる。ＣＦＲＰは、強度に優れ且つ軽量であるため、レール部材の性能（強度及び軽量性）向上を図ることができる。なおＣＦＲＰ内の炭素繊維は、典型的に特定の方向に延びる長繊維であるが、公知技術では各炭素繊維の向きを規定しておらず、炭素繊維の向きがランダムである。
【先行技術文献】
【特許文献】
【０００４】
【特許文献１】特開２０１０−８８７号公報
【発明の概要】
【発明が解決しようとする課題】
【０００５】
上述のレール部材では、係合部と被係合部の係合により、車両衝突時におけるアッパレールとロアレールの相対移動を規制する。このとき係合部と被係合部の係合力を超えた力がかかると、アッパレールとロアレールが内向き又は外向きに湾曲変形しつつ抜外れることとなる。
ここでＣＦＲＰは、炭素繊維を長尺方向に伸縮させる向きの力（特に伸長させる向きの力）には強いが、同方向に直交する向きの力には弱いことが知られる。このため公知技術のようにＣＦＲＰ内の炭素繊維の向きが規定されていない（ランダムである）場合、ＣＦＲＰの強度を十分に発揮できず、レール部材の湾曲変形を好適に阻止できなかった。
本発明は上述の点に鑑みて創案されたものであり、本発明が解決しようとする課題は、アッパレールとロアレールの抜外れをより好適に阻止することにある。
【課題を解決するための手段】
【０００６】
上記課題を解決するための手段として、第１発明の車両用シートは、シートクッションやシートバックなどのシート構成部材と、シート構成部材を車室構造体に対してスライド移動させるレール部材とを備える。
そしてレール部材が、車室構造体に取付け可能なロアレールと、シート構成部材に取付け可能なアッパレールとを有する。ロアレールは、断面視で略Ｕ字状をなすとともに、端部を湾曲させて形成の係合部を有する。またアッパレールは、断面視で略逆Ｕ字状をなすとともに、端部を湾曲させて形成の被係合部を有する。
本発明では、アッパレールとロアレールを摺動可能に嵌装しつつ、係合部と被係合部を係合可能に配置して、アッパレールとロアレールの抜外れ方向の相対移動を阻止する構成とする。そして車両衝突時の衝撃により、係合部と被係合部の係合力に抗しつつ、アッパレールとロアレールの少なくとも一方が部分的に湾曲変形して抜外れる方向に相対移動する。
この種のシート構成では、レール部材の湾曲変形を極力回避するなどして、アッパレールとロアレールの抜外れをより好適に阻止できることが望ましい。
【０００７】
そこで本発明では、上述のアッパレールとロアレールの少なくとも一方に補強部材を取付ける。補強部材は、レール部材の外形に沿って湾曲可能な可撓性を有する面状の基材と、基材よりも長尺方向の伸縮性に劣る線状の繊維体を備える。
そして本発明では、アッパレール又はロアレールの湾曲変形時に、繊維体を長尺方向に伸縮させる向きに力がかかる構成とする。
本発明では、アッパレールとロアレールの湾曲変形を、繊維体伸縮時の抵抗により極力阻止することで、アッパレールとロアレールの抜外れを好適に阻止できる。
【０００８】
第２発明の車両用シートは、第１発明の車両用シートであって、アッパレールとロアレールの双方に補強部材を取付けて、アッパレール及びロアレールの湾曲変形時に、繊維体を長尺方向に伸長させる向きに力がかかる構成とした。
本発明では、アッパレール及びロアレールの双方の湾曲変形を、繊維体伸長時の抵抗にて更に好適に阻止できる。
【発明の効果】
【０００９】
本発明に係る第１発明によれば、アッパレールとロアレールの抜外れをより好適に阻止することができる。また第２発明によればアッパレールとロアレールの抜外れを更に好適に阻止することができる。
【図面の簡単な説明】
【００１０】
【図１】車両用シートの一部透視斜視図である。
【図２】レール部材の側面図である。
【図３】補強部材の斜視図である。
【図４】（ａ）は、レール部材と補強部材の断面図であり、（ｂ）は、変形例にかかるレール部材と補強部材の断面図である。
【図５】湾曲変形時のレール部材の断面図である。
【発明を実施するための形態】
【００１１】
以下、本発明を実施するための形態を、図１〜図５を参照して説明する。なお各図には、車両用シート前方に符号Ｆ、車両用シート後方に符号Ｂ、車両用シート上方に符号ＵＰ、車両用シート下方に符号ＤＷを適宜付す。
図１の車両用シート２は、車室内に配置する部材であり、シート構成部材（シートクッション４，シートバック６）と、一対のレール部材Ｒ１，Ｒ２を有する（各部材の詳細は後述）。
【００１２】
本実施例では、シート構成部材４，６を、一対のレール部材Ｒ１，Ｒ２を介して車室床面ＦＳにスライド移動可能に取付ける（各部材の詳細は後述）。
一対のレール部材Ｒ１，Ｒ２は、それぞれシート前後に延びる線状の部材であり、ロアレール２０とアッパレール３０（詳細後述）を有する。
そして車両衝突時において、アッパレール３０とロアレール２０が抜外れ方向に相対移動することを、係合部２１，２２と被係合部３１，３２（詳細後述）の係合により規制する（図４を参照）。このとき係合部２１，２２と被係合部３１，３２の係合力を超えた力がかかると、アッパレール３０とロアレール２０が部分的に湾曲変形しつつ抜外れることとなる。
この種のシート構成では、一対のレール部材Ｒ１，Ｒ２の湾曲変形を極力回避するなどして、アッパレール３０とロアレール２０の抜外れをより好適に阻止できることが望ましい。そこで本実施例では、後述の構成により、各レール部材Ｒ１，Ｒ２の湾曲変形をより好適に阻止することとした。以下、各構成について詳述する。
【００１３】
［シート構成部材］
シート構成部材４，６は、フレーム部材ＦＭと、一対のブラケット１０Ａ，１０Ｂを有する（図１及び図２を参照）。
フレーム部材ＦＭは、シート骨格をなすパイプ状の枠体であり、シートクッション４とシートバック６の外形形状に倣った形状を有する。フレーム部材ＦＭ一側（下方部位４Ｆ）は、略水平に配置する部分であり、シートクッション４の外形形状に倣った形状（略長方形状）を有する。またフレーム部材ＦＭ他側（上方部位６Ｆ）は、下方部位４Ｆから起立する部分であり、シートバック６の外形形状に倣った形状（略長方形状）を有する。
本実施例では、下方部位４Ｆに、クッション材４Ｐを配置しつつ表皮材４Ｓで被覆することで、シートクッション４を形成できる。また上方部位６Ｆに、クッション材６Ｐを配置しつつ表皮材６Ｓで被覆することで、シートバック６を形成できる。
【００１４】
（ブラケット）
一対のブラケット（第一ブラケット１０Ａ，第二ブラケット１０Ｂ）は、それぞれシート前後に延びる平板部材（略長方形状）であり、組付け部１４を有する。
組付け部１４は、各ブラケット１０Ａ，１０Ｂ上側の略Ｕ字状（断面視）の部位であり、フレーム部材ＦＭを嵌装できる。
本実施例では、第一ブラケット１０Ａを、フレーム部材ＦＭの一側下部に沿って取付けるとともに、第二ブラケット１０Ｂを、フレーム部材ＦＭの他側下部に沿って取付ける。このとき下方部位４Ｆを組付け部１４に嵌装して、各ブラケット１０Ａ，１０Ｂを、下方部位４Ｆ側部に沿って略垂直に配置するとともに、各ブラケット１０Ａ，１０Ｂの下側にレール部材（後述）を取付け可能とする。
【００１５】
［レール部材］
一対のレール部材（第一レール部材Ｒ１，第二レール部材Ｒ２）は実質的に同形状の部材であり、各々、ロアレール２０と、アッパレール３０と、転動部材４０ａ〜４０ｄと、補強部材５０を有する（図１〜図４を参照、各部材の詳細は後述）。
本実施例では、フレーム部材ＦＭの一側部に第一レール部材Ｒ１を取付けるとともに、フレーム部材ＦＭの他側部に第二レール部材Ｒ２を取付ける。このとき第一レール部材Ｒ１と第二レール部材Ｒ２を、実質的に同形状としたことで、部材の共用化が可能な構成である。なお各レール部材Ｒ１，Ｒ２において、係合力及び取付け性に悪影響を及ぼさない部分の形状の違いがあったとしても、実質的に同一であるとみなすことができる。
【００１６】
（ロアレール）
ロアレール２０は、略Ｕ字状（断面視）をなす平板部材であり、一対の係合部２１，２２と、取付け部２４と、複数の湾曲部位ＣＲ１〜ＣＲ３と、一対の脚部材２６ａ，２６ｂを有する（図１及び図４を参照）。
一対の係合部（第一係合部２１，第二係合部２２）は、それぞれロアレール２０端部の略逆Ｕ字状の部位である。本実施例では、ロアレール２０端部を内向きに湾曲させることで各係合部２１，２２を形成するとともに、両係合部の間に所定のクリアランス（アッパレール３０を配置可能な隙間）を形成する。
また取付け部２４は、ロアレール２０の底面（車室床面ＦＳを臨む面）の貫通孔であり、ボルト部材Ｂを挿入可能である（図４及び図５を参照）。また一対の脚部材２６ａ，２６ｂは、ロアレール２０と車室床面ＦＳを連結する部材であり、ロアレール２０の前端と後端に取付けることができる。
そして複数の湾曲部位（第一湾曲部位ＣＲ１，第二湾曲部位ＣＲ２，第三湾曲部位ＣＲ３）は、ロアレール２０（断面視）の一部に形成されて同レールの一部をなす部位である。第一湾曲部位ＣＲ１は、ロアレール２０の底面（車室床面ＦＳに対面する面）の端部に形成される。また第二湾曲部位ＣＲ２と第三湾曲部位ＣＲ３は、それぞれ各係合部２１，２２（逆Ｕ字状）上面の折り返し部分である。
【００１７】
（アッパレール）
アッパレール３０（断面視）は、略逆Ｕ字状をなす部材（比較的幅狭）であり、複数の被係合部３１，３２と、複数の湾曲部位ＣＲ４，ＣＲ５を有する（図４を参照）。本実施例のアッパレール３０は、ロアレール２０内に所定のクリアランス（後述の転動部材等を配置可能な隙間）を設けて嵌装可能である。
そして複数の被係合部（第一被係合部３１，第二被係合部３２）は、それぞれアッパレール３０端部の略Ｕ字状の部位である。本実施例では、アッパレール３０端部を外向きに湾曲させることで各被係合部３１，３２を形成することができる。
そして複数の湾曲部位（第四湾曲部位ＣＲ４，第五湾曲部位ＣＲ５）は、アッパレール３０（断面視）の一部に形成されて同レールの一部をなす部位である。第四湾曲部位ＣＲ４は、アッパレール３０の上面の端部に形成される。また第五湾曲部位ＣＲ５は、各被係合部３１，３２（Ｕ字状）下部の折り返し部分である。
【００１８】
（転動部材）
転動部材は、複数の球体４０ａ〜４０ｄであり、アッパレール３０とロアレール２０のスライド移動をスムーズ化することができる（図２及び図４を参照）。
転動部材４０ａ〜４０ｄは、例えばブラケット部４２に回転可能に嵌装することができる。ブラケット部４２は、各レール部材Ｒ１，Ｒ２内に配置可能な形状及び寸法（典型的に略Ｕ字状）を有して、各レール部材Ｒ１，Ｒ２の長尺方向途中に適宜の間隔をあけて一対配置できる。
本実施例では、アッパレール３０とロアレール２０を組付ける際に、両レールの間に転動部材４０ａ〜４０ｄを介装する。このとき複数の球体４０ａ〜４０ｄを、アッパレール３０外面とロアレール２０内面の間に配置しつつ回転可能に接触させることで、アッパレール３０とロアレール２０がスムーズにスライド移動可能となる。
そして本実施例では、アッパレール３０の一端部（第一被係合部３１）の上下に一対の球体４０ａ，４０ｂが並列配置する。またアッパレール３０の他端部（第二被係合部３２）の上下に一対の球体４０ｃ，４０ｄが並列配置する。このように複数の球体４０ａ〜４０ｄを、アッパレール３０の四方に配置することで、アッパレール３０にかかる荷重を、ロアレール２０に分散させつつ伝達することができる（荷重受けの良い構成となる）。
【００１９】
（補強部材）
補強部材５０は、基材５２と繊維体５４を有する面状部材（典型的にシート状）であり、アッパレール３０とロアレール２０の少なくとも一方に取付けられる（図３及び図４を参照）。
基材５２は、各レール部材Ｒ１，Ｒ２の外形に沿って湾曲可能な可撓性を有する面状部材である。基材５２（材質）は特に限定しないが、ポリエステル、ポリエチレン、ポリプロピレン、ポリスチレン、ポリイミド、ポリビニルアルコール、ポリ塩化ビニル、ナイロン及びセルロースを例示できる。
また繊維体５４は、基材５２よりも長尺方向の伸縮性に劣る（伸縮に抵抗する）線状の素材であり、基材５２と同様の可撓性を有する。この種の繊維体５４として、各種の連続繊維（炭素繊維、ガラス繊維、ボロン繊維、アラミド繊維、炭化ケイ素繊維、アルミナ繊維、金属繊維及びこれらの複合繊維）を例示できる。そして繊維体５４は、典型的に引張強度に優れることから、長尺方向の伸長性に特に劣る（伸長に対して抵抗する）素材である。
そして本実施例では、シート状の基材５２（正面視で略長方形状）に複数の繊維体５４を配置するとともに、各繊維体５４を、基材５２の長尺方向に向けて延ばしつつ並列して配置した。ここで各繊維体５４を、基材５２上に配置することができ、また基材５２内に配置することもできる。
【００２０】
［レール部材の取付け作業］
図１及び図４を参照して、アッパレール３０を、転動部材４０ａ〜４０ｄを介してロアレール２０に嵌装しつつ、各係合部２１，２２と各被係合部３１，３２を対面状に配置する。
つぎに第一レール部材Ｒ１を、下方部位４Ｆの一側部に配置するとともに、第二レール部材Ｒ２を、下方部位４Ｆの他側部に配置する。そして各ブラケット１０Ａ，１０Ｂの下側に、それぞれアッパレール３０上面をボルト止め又は溶接などで固定する。またロアレール２０を車室床面ＦＳに固定することで、シート構成部材４，６を、一対のレール部材Ｒ１，Ｒ２を介して車室床面ＦＳに取付けることができる。
【００２１】
［レール部材の挙動］
本実施例では、各係合部２１，２２と各被係合部３１，３２の係合により、車両衝突時におけるアッパレール３０とロアレール２０の相対移動を規制できる（図４及び図５を参照）。
しかし車両衝突時において、各係合部２１，２２と各被係合部３１，３２の係合力を超えた力がかかることがある。このとき補強部材５０を省略した構成では、各係合部２１，２２と各被係合部３１，３２の係合力に抗しつつ、アッパレール３０とロアレール２０の少なくとも一方が部分的に湾曲変形して抜外れる方向に相対移動する。
例えばロアレール２０では、アッパレール３０が抜外れ方向の相対移動により、ロアレール２０の底面から各係合部２１，２２にかけて拡開方向に湾曲変形する。このとき第一湾曲部位ＣＲ１を基端として、一対の係合部２１，２２が互いに離間する向きに変形する。また第二湾曲部位ＣＲ２と第三湾曲部位ＣＲ３を基端として、各係合部２１，２２が拡開する方向に湾曲変形する。
またアッパレール３０では、ロアレール２０から抜外れる際に、アッパレール３０の上面から被係合部３１，３２にかけて閉じ方向に湾曲変形する。このとき第四湾曲部位ＣＲ４を基端として、各被係合部３１，３２が互いに近づくように湾曲変形する。また第五湾曲部位ＣＲ５を基端として、各被係合部３１，３２が拡開する向きに湾曲変形する。
【００２２】
［補強部材の配設と挙動］
図４（ａ）を参照して、アッパレール３０とロアレール２０に補強部材５０をそれぞれ取付ける。
本実施例では、アッパレール３０の外面に補強部材５０を取付けるとともに、ロアレール２０の内面に補強部材５０を取付ける。このとき補強部材５０を、シート幅方向に向けつつアッパレール３０とロアレール２０に取付けて、繊維体５４を、アッパレール３０とロアレール２０の長尺方向に対して直交状に配置させる。
ここで本実施例では、ロアレール２０の内面に補強部材５０を取付けるときに、転動部材４０ａ〜４０ｄの配置位置とは異なる位置に取付けることが好ましい（図２を参照）。例えば補強部材５０を、ロアレール２０の前端及び後端（脚部材の配設位置）に取付けることができる。このように転動部材４０ａ〜４０ｄと補強部材５０の干渉を極力回避することで、アッパレール３０とロアレール２０をスムーズにスライド移動させることができる。
【００２３】
そして本実施例では、補強部材５０により、アッパレール３０とロアレール２０の湾曲変形を阻止することで、両レールの抜外れ方向の相対移動を阻止する（図４を参照）。
例えばロアレール２０では、アッパレール３０の相対移動により、ロアレール２０の底面から各係合部２１，２２にかけて拡開方向に湾曲変形する。このとき第一湾曲部位ＣＲ１を基端とした湾曲変形により、繊維体５４に対して長尺方向に伸長させる向きの力がかかる。また同時に第二湾曲部位ＣＲ２と第三湾曲部位ＣＲ３を基端とした湾曲変形により、繊維体５４に対して伸長させる向きの力がかかる。このとき繊維体５４が伸長に抵抗することで（優れた引張強度にて）、ロアレール２０の湾曲変形を極力阻止することができる。
また同様にアッパレール３０では、ロアレール２０から抜外れる際に、アッパレール３０の上面から被係合部３１，３２にかけて閉じ方向に湾曲変形する。このとき第四湾曲部位ＣＲ４を基端とした湾曲変形により、繊維体５４に対して長尺方向に伸長させる向きの力がかかる。また第五湾曲部位ＣＲ５を基端とした湾曲変形により、繊維体５４に対して伸長させる向きの力がかかる。このとき繊維体５４が伸長に抵抗することで、アッパレール３０の湾曲変形を極力阻止することができる。
【００２４】
［変形例］
ここで補強部材５０は、上述の配設構造のほか、各種の配設構造をとることができる（図４（ｂ）を参照）。
例えば本変形例では、アッパレール３０の内面に補強部材５０を取付けるとともに、ロアレール２０の外面に補強部材５０を取付ける。
そしてロアレール２０において、第一湾曲部位ＣＲ１を基端とした湾曲変形により、繊維体５４に対して長尺方向に圧縮させる向きの力がかかる。また同時に第二湾曲部位ＣＲ２と第三湾曲部位ＣＲ３を基端とした湾曲変形により、繊維体５４に対して圧縮させる向きの力がかかる。そして繊維体５４が圧縮に抵抗することで、ロアレール２０の湾曲変形を極力阻止できる。
また同様にアッパレール３０では、第四湾曲部位ＣＲ４を基端とした湾曲変形により、繊維体５４に対して長尺方向に圧縮させる向きの力がかかる。また第五湾曲部位ＣＲ５を基端とした湾曲変形により、繊維体５４に対して圧縮させる向きの力がかかる。そして繊維体５４が圧縮に抵抗することで、ロアレール２０の湾曲変形を極力阻止できる。
【００２５】
以上説明したとおり本実施例では、アッパレール３０とロアレール２０の湾曲変形を、繊維体５４伸縮時の抵抗により極力阻止することで、アッパレール３０とロアレール２０の抜外れを好適に阻止できる。
このため本実施例によれば、アッパレール３０とロアレール２０の抜外れをより好適に阻止することができる。
【００２６】
本実施形態の車両用シートは、上述した実施形態に限定されるものではなく、その他各種の実施形態を取り得る。
（１）本実施形態では、アッパレール３０とロアレール２０の内外面（全面）に補強部材５０を取付ける例を説明したが、各レールの少なくとも一部に取付けることができる。このとき各レールの湾曲部位ＣＲ１〜ＣＲ５の少なくとも一部位に補強部材５０を取付けることが好ましい。
（２）また本実施形態では、アッパレール３０とロアレール２０の少なくとも一方に補強部材５０を取付けることができる。このとき補強部材を、アッパレールの内面と外面の少なくとも一方に取付けることができる。また同様に補強部材を、ロアレールの内面と外面の少なくとも一方に取付けることができる。
（３）本実施形態では、各繊維体５４を、基材５２の長尺方向に向けて延ばしつつ並列して配置する例を説明したが、繊維体の構成を限定する趣旨ではない。例えば基材に対して、基材の長尺方向に向けて延びる第一繊維体と、第一繊維体に対して直交状に交わる第二繊維体を配置することができる。また基材に対して、基材の長尺方向に傾斜状に配置する繊維体を設けることもできる。
【００２７】
（４）本実施形態では、シート構成部材の構成（形状や寸法等）を例示したが、同部材の構成を限定する趣旨ではない。例えば上方部位と下方部位を一体とすることができ、また別体とすることもできる。
（５）また本実施形態では、球状の転動部材４０ａ〜４０ｄを用いる例を説明したが、同部材の構成を限定する趣旨ではない。例えば筒状（ロール状）の転動部材を用いることができる。またシート構成に応じて、転動部材を省略することもできる。
（６）また本実施形態では、アッパレール３０とロアレール２０に転動部材４０ａ〜４０ｄを介装する例を説明したが、パワースライドハウジング部材等の他部材を介装することもできる。
（７）また本実施形態では、車室構造体として、車室床面ＦＳを例示したが、車室構造体の構成を限定する趣旨ではない。例えば車室壁体（車室構造体の他例）にレール部材を取付けることができる。
（８）また本実施形態では、一対のレール部材Ｒ１，Ｒ２をシート前後方向に配置する例を説明したが、各レール部材の配置方向を限定する趣旨ではない。例えば一対のレール部材を、シート前後方向に対して直交する向き（車室幅方向）や傾斜する方向に配置することもできる。
【符号の説明】
【００２８】
２     車両用シート
４     シートクッション
６     シートバック
２０   ロアレール
２１   第一係合部
２２   第二係合部
２６ａ，２６ｂ  脚部材
３０   アッパレール
３１   第一被係合部
３２   第二被係合部
４０ａ〜４０ｄ  転動部材
４２   ブラケット部
５０   補強部材
５２   基材
５４   繊維体
ＣＲ１ 第一湾曲部位
ＣＲ２ 第二湾曲部位
ＣＲ３ 第三湾曲部位
ＣＲ４ 第四湾曲部位
ＣＲ５ 第五湾曲部位
ＦＭ   フレーム部材
ＦＳ   車室床面
Ｒ１   第一レール部材
Ｒ２   第二レール部材
【図１】
2013180674.tif 000003
【図２】
2013180674.tif 000004
【図３】
2013180674.tif 000005
【図４】
2013180674.tif 000006
【図５】
2013180674.tif 000007